(57)【特許請求の範囲】
【請求項１】
金属製のチップ本体の前端に内向きの前端縁部を設け、前記前端縁部の後方のチップ本体内面に内方への押圧変形により形成した複数の内方突出部からなるボール受け座を設け、前記前端縁部と前記ボール受け座との間で回転可能にボールを抱持し、前記ボール受け座用の内方突出部の相互間に、中心部から径方向外方に放射状に延びるインキ流出間隙を形成し、前記インキ流出間隙に、ボールを前方に付勢し且つボールを前端縁部の内面に密接させるロッド部を遊挿させてなるボールペンであって、
前記チップ本体の中間部内面に、内方への押圧変形により形成した複数の内方突出部からなる、ロッド部の撓み変形を抑止する変形抑止部を設け、
前記変形抑止部用の内方突出部の相互間に中心部から径方向外方に放射状に延びるインキ流出間隙を形成し、前記変形抑止部用の内方突出部の相互間のインキ流出間隙に前記ロッド部を遊挿させてなることを特徴とするボールペン。
【請求項２】
前記ボール受け座用の内方突出部の頂点に接する仮想内接円の直径が、前記ロッド部の直径より大きく設定され、且つ、前記変形抑止部用の内方突出部の頂点に接する仮想内接円の直径が、前記ロッド部の直径より大きく設定される請求項１記載のボールペン。
【請求項３】
前記変形抑止部が、周状に等間隔で配置される複数の内方突出部よりなる第１の変形抑止部と、該第１の変形抑止部の後方に設けられる、周状に等間隔で配置される複数の内方突出部よりなる第２の変形抑止部とからなり、前記第１の変形抑止部と前記第２の変形抑止部とが前後に近接して配置される請求項１または２記載のボールペン。
【請求項４】
前記第１の変形抑止部用の内方突出部の相互間の後方に前記第２の変形抑止部用の内方突出部が位置してなる請求項３に記載のボールペン。
【請求項５】
前記ボール受け座用の内方突出部の後方に、内方への押圧変形により形成した複数の内方突出部からなるガイド部を設け、前記ボール受け座用の内方突出部と前記ガイド部用の内方突出部とを前後に近接して配置させ、前記ガイド部用の内方突出部の相互間のインキ流出間隙に前記ロッド部を遊挿させてなる請求項１乃至４の何れかに記載のボールペン。
【請求項６】
前記ガイド部用の内方突出部の頂点に接する仮想内接円の直径が、前記ロッド部の直径より大きく設定される請求項５記載のボールペン。
【請求項７】
前記ボール受け座用の内方突出部の相互間の後方に前記ガイド部用の内方突出部が位置してなる請求項５または６記載のボールペン。
【発明の詳細な説明】
【技術分野】
【０００１】
本発明は、ボールペンに関する。
【背景技術】
【０００２】
従来、特許文献１には、金属製のチップ本体の先端に内向きの先端縁部を設け、前記先端縁部の後方のチップ本体内面に複数の内方突出部を内方への押圧変形により設け、前記先端縁部と前記内方突出部との間にボールを回転可能に抱持し、前記内方突出部の相互間に、中心部から径方向外方に放射状に延びるインキ流出間隙を形成し、前記インキ流出間隙に、ボールを前方へ付勢し且つボールを先端縁部の内面に密接させるロッド部を挿通させてなるボールペンであって、前記インキ流出間隙の中心部の仮想内接円の直径を、前記ロッド部の外径より大きく設定するとともに、前記インキ流出間隙の最小寸法を、前記ロッド部の外径より小さく設定したことを特徴とするボールペンが記載されている。
【先行技術文献】
【特許文献】
【０００３】
【特許文献１】特開２００３−１３６８７７号公報
【発明の概要】
【発明が解決しようとする課題】
【０００４】
前記特許文献１に記載のボールペンは、ロッド部がインキ流出間隙の周縁端部の近傍に入り込むことを防止できるとしても、ロッド部がチップ本体の中間部で撓むことにより、ロッド部のボールの前方への付勢が不安定となり、ボールと前端縁部内面との密接（即ちシール性）が低下するおそれがある。
【０００５】
本発明は前記従来の問題点を解決するものであって、ロッド部がチップ本体の中間部で撓むことを抑止し、ボールと前端縁部との確実なシール性が得られるボールペンを提供しようとするものである。
【課題を解決するための手段】
【０００６】
＜１＞本願の第１の発明は、金属製のチップ本体２の前端に内向きの前端縁部４を設け、前記前端縁部４の後方のチップ本体２内面に内方への押圧変形により形成した複数の内方突出部からなるボール受け座５を設け、前記前端縁部４と前記ボール受け座５との間で回転可能にボール３を抱持し、前記ボール受け座用の内方突出部の相互間に、中心部から径方向外方に放射状に延びるインキ流出間隙５１を形成し、前記インキ流出間隙５１に、ボール３を前方に付勢し且つボール３を前端縁部４の内面に密接させるロッド部８１を遊挿させてなるボールペンであって、前記チップ本体２の中間部内面に、内方への押圧変形により形成した複数の内方突出部からなる、ロッド部８１の撓み変形を抑止する変形抑止部７・７Ａ・７Ｂを設け、前記変形抑止部用の内方突出部の相互間に中心部から径方向外方に放射状に延びるインキ流出間隙７１・７１Ａ・７１Ｂを形成し、前記変形抑止部用の内方突出部の相互間のインキ流出間隙７１・７１Ａ・７１Ｂに前記ロッド部８１を遊挿させてなることを要件とする。
【０００７】
前第１の発明のボールペン１は、チップ本体２の中間部内面に、内方への押圧変形により形成した複数の内方突出部からなる、ロッド部８１の撓み変形を抑止する変形抑止部７・７Ａ・７Ｂを設け、前記変形抑止部用の内方突出部の相互間に中心部から径方向外方に放射状に延びるインキ流出間隙７１・７１Ａ・７１Ｂを形成し、前記変形抑止部用の内方突出部の相互間のインキ流出間隙７１・７１Ａ・７１Ｂに前記ロッド部８１を遊挿させてなることにより、チップ本体２の中間部において、ロッド部８１の撓み変形を十分に抑止できる。その結果、ロッド部８１前端によってボール３が適正に前方に付勢され、ボール３と前端縁部４内面との確実なシール性が得られる。
【０００８】
＜２＞本願の第２の発明は、前記第１の発明のボールペン１において、前記ボール受け座用の内方突出部の頂点に接する仮想内接円の直径が、前記ロッド部８１の直径より大きく設定され、且つ、前記変形抑止部用の内方突出部の頂点に接する仮想内接円の直径が、前記ロッド部８１の直径より大きく設定されることを要件とする。
【０００９】
前記第２の発明のボールペン１は、前記ボール受け座用の内方突出部の頂点に接する仮想内接円の直径、及び前記変形抑止部用の内方突出部の頂点に接する仮想内接円の直径が、前記ロッド部８１の直径より大きく設定されることにより、ボール受け座５の中心、及び変形抑止部７・７Ａ・７Ｂの中心にロッド部８１を確実に遊挿させることができる。前記ロッド部８１の横断面形状は、円形状、楕円形状、多角形状等のいずれであってもよい。前記ロッド部８１の直径とは、ロッド部８１の外径の最大値をいう。前記ロッド部８１とは、それ自体が撓んだり圧縮変形したりしてもよいし、その後端にコイル部またはゴム等の弾性部材を配設してもよい。
【００１０】
＜３＞本願の第３の発明は、前記第１または第２の発明のボールペン１において、前記変形抑止部７が、周状に等間隔で配置される複数の内方突出部よりなる第１の変形抑止部７Ａと、該第１の変形抑止部７Ａの後方に設けられる、周状に等間隔で配置される複数の内方突出部よりなる第２の変形抑止部７Ｂとからなり、前記第１の変形抑止部７Ａと前記第２の変形抑止部７Ｂとが前後に近接して配置されることを要件とする。
【００１１】
前記第３の発明のボールペン１は、前記変形抑止部用の内方突出部が、前後に近接して配置される、第１の変形抑止部７Ａと第２の変形抑止部７Ｂとからなることにより、チップ本体２の中間部でのロッド部８１の撓み変形を確実に抑えることができる。
【００１２】
＜４＞本願の第４の発明は、前記第３の発明のボールペン１において、前記第１の変形抑止部用の内方突出部の相互間の後方に前記第２の変形抑止部用の内方突出部が位置してなることを要件とする。
【００１３】
前記第４の発明のボールペン１は、前記第１の変形抑止部用の内方突出部の相互間の後方に前記第２の変形抑止部用の内方突出部が位置してなることにより、より一層、チップ本体２の中間部でのロッド部８１の撓み変形を確実に抑えることができる。
【００１４】
＜５＞本願の第５の発明は、前記第１乃至４の発明のボールペン１において、前記ボール受け座用の内方突出部の後方に、内方への押圧変形により形成した複数の内方突出部からなるガイド部６を設け、前記ボール受け座用の内方突出部と前記ガイド部用の内方突出部とを前後に近接して配置させ、前記ガイド部用の内方突出部の相互間のインキ流出間隙６１に前記ロッド部８１を遊挿させてなることを要件とする。
【００１５】
前記第５の発明のボールペン１は、前記ボール受け座用の内方突出部と前記ガイド部用の内方突出部とを前後に近接して配置させたことにより、ロッド部８１をボール受け座５の中心に確実にガイドすることができ、ボール３の中心を安定的に前方に付勢することができる。
【００１６】
＜６＞本願の第６の発明は、前記第５の発明のボールペン１において、前記ガイド部用の内方突出部の頂点に接する仮想内接円の直径が、前記ロッド部８１の直径より大きく設定されることを要件とする。
【００１７】
前記第６の発明のボールペン１は、前記ガイド部用の内方突出部の頂点に接する仮想内接円の直径が、前記ロッド部８１の直径より大きく設定されることにより、ロッド部８１をガイド部６の中心に確実に遊挿させることができる。
【００１８】
＜７＞本願の第７の発明は、前記第５または第６の発明のボールペン１において、前記ボール受け座用の内方突出部の相互間の後方に前記ガイド部用の内方突出部が位置してなることを要件とする。
【００１９】
前記第７の発明のボールペンは、より一層、ロッド部８１をボール受け座５の中心に確実に遊挿させることができる。
【発明の効果】
【００２０】
本発明のボールペンは、ロッド部がチップ本体の中間部で撓むことを抑止し、ボールと前端縁部との確実なシール性が得られる。
【図面の簡単な説明】
【００２１】
【図１】本発明の第１の実施の形態のボールペンの要部拡大縦断面図である。
【図２】図１のボールを省略したＡ−Ａ線矢視拡大断面図である。
【図３】図１のＢ−Ｂ線矢視拡大断面図である。
【図４】本発明の実施の形態のボールペンの縦断面図である。
【図５】図４の要部拡大断面図である。
【図６】本発明の第２の実施の形態のボールペンの要部拡大縦断面図である。
【図７】図６のＣ−Ｃ線拡大断面図である。
【図８】図６のＤ−Ｄ線拡大断面図である。
【図９】本発明の実施の形態のボールペンの縦断面図である。
【図１０】図９の要部拡大断面図である。
【発明を実施するための形態】
【００２２】
＜第１の実施の形態＞
図１乃至図５に本発明の第１の実施の形態を示す。
本実施の形態のボールペン１は、チップ本体２と、該チップ本体２の後端部を保持するホルダー９と、該ホルダー９の後端部が圧入固着されるインキ収容管１０と、該チップ本体２内及びホルダー９内に収容されるスプリング８と、インキ収容管１０の後端開口部に取り付けられる尾栓１１とからなる。前記インキ収容管１０内には、インキ１０ａと、該インキ１０ａの消費に伴い前進する追従体１０ｂ（例えば高粘度流体と固形物）とが収容される。
【００２３】
前記スプリング８は、前部のロッド部８１と、後部のコイル部８２とが一体に連設されてなる。前記スプリング８は、ステンレス鋼製線材により形成される。
【００２４】
前記チップ本体２は、前端にボール３を回転可能に抱持した金属製（例えばステンレス鋼製）の筒体からなる。前記チップ本体２の前端部には、内方への押圧変形により形成した環状の内向きの前端縁部４と、該前端縁部４の後方に、内方への押圧変形により形成した周状に等間隔に配置される複数の内方突出部よりなるボール受け座５と、該ボール受け座５の後方に配置される、内方への押圧変形により形成した周状に等間隔に配置される複数の内方突出部よりなるガイド部６が設けられる。前記前端縁部４とボール受け座５とによって、ボール３が回転可能且つ前後に移動可能に抱持される。
【００２５】
ボール受け座用の内方突出部の個数（例えば３個）とガイド部用の内方突出部の設ける個数（例えば３個）は同数である。前記ボール受け座用の内方突出部とガイド部用の内方突出部とは、近接して配置される。前記ボール受け座用の内方突出部の相互間の後方に前記ガイド部用の内方突出部が位置される。
【００２６】
前記ボール受け座用の内方突出部の頂点に接する仮想内接円の直径が、前記ロッド部８１の直径より大きく設定される。さらに、前記ガイド部用の内方突出部の頂点に接する仮想内接円の直径が、前記ロッド部８１の直径より大きく設定される（図２参照）。図２の２点鎖線は、前記ボール受け座用の内方突出部の頂点に接する仮想内接円、及び前記ガイド部用の内方突出部の頂点に接する仮想内接円を示す。ボール受け座用の内方突出部の前側には、円錐状凹部５２が形成される。
【００２７】
前記ボール受け座用の内方突出部の相互間に、中心部から径方向外方に放射状に延びるインキ流出間隙５１が軸方向に貫設される。前記ガイド部用の内方突出部の相互間に、中心部から径方向外方に放射状に延びるインキ流出間隙６１が軸方向に貫設される。前記ボール受け座用の内方突出部の相互間のインキ流出間隙５１、及び前記ガイド部用の内方突出部の相互間のインキ流出間隙６１にロッド部８１が遊挿される。前記ロッド部８１により、ボール３が前方に付勢され且つボール３が前端縁部４の内面に環状に密接される。
【００２８】
前記ボール受け座用の内方突出部と前記ガイド部用の内方突出部とを前後に近接して配置させたことにより、ロッド部８１をボール受け座の中心に確実にガイドすることができ、ボール３の中心を安定的に前方に付勢することができる。
【００２９】
前記チップ本体２の中間部内面に、内方への押圧変形により形成した周方向に等間隔に配置される複数の内方突出部からなる第１の変形抑止部７Ａが設けられる。前記第１の変形抑止部用の内方突出部の相互間に中心部から径方向外方に放射状に延びるインキ流出間隙７１Ａが軸方向に貫設される。さらに、前記第１の変形抑止部７Ａの後方の、前記チップ本体２の中間部内面に、内方への押圧変形により形成した周方向に等間隔に配置される複数の内方突出部からなる第２の変形抑止部７Ｂが設けられる。前記第２の変形抑止部用の内方突出部の相互間に中心部から径方向外方に放射状に延びるインキ流出間隙７１Ｂが軸方向に貫設される。前記第１の変形抑止部７Ａと前記第２の変形抑止部７Ｂとが近接して配置される。また、前記第１の変形抑止部用の内方突出部の相互間の後方に前記第２の変形抑止部用の内方突出部が位置される。
【００３０】
前記第１の変形抑止部用の内方突出部の頂点に接する仮想内接円の直径が、前記ロッド部８１の直径より大きく設定される。前記第２の変形抑止部用の内方突出部の頂点に接する仮想内接円の直径が、前記ロッド部８１の直径より大きく設定される。前記第１の変形抑止部用の内方突出部の相互間のインキ流出間隙７１Ａ、及び前記第２の変形抑止部用の内方突出部の相互間のインキ流出間隙７１Ｂに前記ロッド部８１が遊挿される（図３参照）。図３の２点鎖線は、前記第１の変形抑止部用の内方突出部の頂点に接する仮想内接円、及び前記第２の変形抑止部用の内方突出部の頂点に接する仮想内接円を示す。
【００３１】
前記スプリング８のロッド部８１が、チップ本体２の後端開口部より前方に挿入され、最初に、第２の変形抑止部用の内方突出部の相互間のインキ流出間隙７１Ｂに遊挿され、次に、第１の変形抑止部用の内方突出部の相互間のインキ流出間隙７１Ａに遊挿され、その後、ガイド部用の内方突出部の相互間のインキ流出間隙６１に遊挿され、そして最後に、ボール受け座用の内方突出部の相互間のインキ流出間隙５１に遊挿される。
【００３２】
前記第１変形抑止部用の内方突出部の相互間のインキ流出間隙７１Ａ、及び前記第２変形抑止部用の内方突出部の相互間のインキ流出間隙７１Ｂに、前記ロッド部８１を遊挿させてなることにより、チップ本体２の中間部において、ロッド部８１の撓み変形を抑止できる。その結果、ロッド部８１前端によってボール３が適正に前方に付勢され、ボール３と前端縁部４内面との確実なシール性が得られる。
【００３３】
ボール受け座用の内方突出部の相互間の軸方向後方の延長線上のチップ本体２内面には、ガイド部用の内方突出部が位置し、ガイド部用の内方突出部の相互間の軸方向前方の延長線上のチップ本体２内面には、ボール受け座用の内方突出部が位置する。即ち、前記チップ本体２から仮想的にボール３を除いた状態でチップ本体２の前端開口部からボール受け座用の内方突出部を視認したとき、ボール受け座用の内方突出部の相互間にガイド部用の内方突出部が位置するよう視認される（図２参照）。それにより、ロッド部８１を確実にボール受け座のインキ流出間隙５１の中心部にガイドすることができ、また、筆記時、ロッド部８１がボール受け座のインキ流出間隙５１の中心部に維持され、安定したボール３の回転が得られる。
【００３４】
また、第１の変形抑止部用の内方突出部の相互間の軸方向後方の延長線上のチップ本体２内面には、第２の変形抑止部用の内方突出部が位置し、第２の変形抑止部用の内方突出部の相互間の軸方向前方の延長線上のチップ本体２内面には、第１の変形抑止部用の内方突出部が位置する。即ち、第１の変形抑止部より前方のチップ本体２の横断面を前方より視認したとき、第１の変形抑止部用の内方突出部の相互間に第２の変形抑止部用の内方突出部が位置するよう視認される（図３参照）。それにより、チップ本体２の中間部において、ロッド部８１の撓み変形を確実に抑止できる。その結果、ロッド部８１前端によってボール３が適正に前方に付勢され、ボール３と前端縁部４内面との確実なシール性が得られる。
【００３５】
＜第２の実施の形態＞
図６乃至図１０に本発明の第２の実施の形態を示す。
本実施の形態のボールペン１は、チップ本体２と、該チップ本体２の後端部を保持するホルダー９と、該ホルダー９の後端部が圧入固着されるインキ収容管１０と、該チップ本体２内及びホルダー９内に収容されるスプリング８と、インキ収容管１０の後端開口部に取り付けられる尾栓１１とからなる。前記インキ収容管１０内には、インキ１０ａと、該インキの消費に伴い前進する追従体１０ｂ（例えば高粘度流体と固形物）とが収容される。
【００３６】
前記スプリング８は、前部のロッド部８１と、後部のコイル部８２とが一体に連設されてなる。前記スプリング８は、ステンレス鋼製線材により形成される。
【００３７】
前記チップ本体２は、前端にボール３を回転可能に抱持した金属製（例えばステンレス鋼製）の筒体からなる。前記チップ本体２の前端部には、内方への押圧変形により形成した環状の内向きの前端縁部４と、内方への押圧変形により形成した周状に等間隔に配置される複数（例えば４個）の内方突出部よりなるボール受け座５が設けられる。前記前端縁部４とボール受け座５とによって、ボール３が回転可能且つ前後に移動可能に抱持される。
【００３８】
前記ボール受け座用の内方突出部の頂点に接する仮想内接円の直径が、前記ロッド部８１の直径より大きく設定される（図７参照）。図７の２点鎖線は、ボール受け座用の内方突出部の頂点に接する仮想内接円を示す。
【００３９】
前記ボール受け座用の内方突出部の相互間に、中心部から径方向外方に放射状に延びるインキ流出間隙５１が軸方向に貫設される。前記ボール受け座用の内方突出部の相互間のインキ流出間隙５１にロッド部８１が遊挿される。前記ロッド部８１により、ボール３が前方に付勢され且つボール３が前端縁部４の内面に環状に密接される。
【００４０】
前記チップ本体２の中間部内面に、内方への押圧変形により形成した周方向に等間隔に配置される複数（例えば４個）の内方突出部からなる変形抑止部７が設けられる。前記変形抑止部用の内方突出部の相互間に中心部から径方向外方に放射状に延びるインキ流出間隙７１が軸方向に貫設される。前記変形抑止部用の内方突出部の頂点に接する仮想内接円の直径が、前記ロッド部８１の直径より大きく設定される。前記変形抑止部用の内方突出部の相互間のインキ流出間隙７１に前記ロッド部８１が遊挿される。
【００４１】
前記スプリング８のロッド部８１が、チップ本体２の後端開口部より前方に挿入され、最初に、変形抑止部用の内方突出部の相互間のインキ流出間隙７１に遊挿され、次に、ボール受け座用の内方突出部の相互間のインキ流出間隙５１に遊挿される。
【００４２】
前記変形抑止部用の内方突出部の相互間のインキ流出間隙７１に前記ロッド部８１を遊挿させてなることにより、チップ本体２の中間部において、ロッド部８１の撓み変形を抑止できる。その結果、ロッド部８１前端によってボール３が適正に前方に付勢され、ボール３と前端縁部４内面との確実なシール性が得られる。
【符号の説明】
【００４３】
１  ボールペン
２  チップ本体
３  ボール
４  前端縁部
５  ボール受け座
５１  インキ流出間隙
６  ガイド部
６１  インキ流出間隙
７  変形抑止部
７１  インキ流出間隙
７Ａ  第１の変形抑止部
７１Ａ  インキ流出間隙
７Ｂ  第２の変形抑止部
７１Ｂ  インキ流出間隙
８  スプリング
８１ ロッド部
８２  コイル部
９  ホルダー
１０  インキ収容管
１０ａ  インキ
１０ｂ  追従体
１１  尾栓
【図１】
0005522795.tif 000002
【図２】
0005522795.tif 000003
【図３】
0005522795.tif 000004
【図４】
0005522795.tif 000005
【図５】
0005522795.tif 000006
【図６】
0005522795.tif 000007
【図７】
0005522795.tif 000008
【図８】
0005522795.tif 000009
【図９】
0005522795.tif 000010
【図１０】
0005522795.tif 000011